(57)【要約】  本発明は、第１の色度座標の光を放射する第１の光源（２３）と、第２の色度座標の光を放射する第２の光源と、前記の２つの光源（２３、２４〜２８）の光を加法的に混合するための光学部品（２２）とを備えたランプシステム（２１）に関する。本発明によれば、前記光学部品（２２）は、２つの異なった種類の散乱中心（２９、３０）を有する光導波路（２２）を有する。これにより、光は所望のとおりに混合されることができる。
2007505461.tif 000002
【特許請求の範囲】
【請求項１】
第１の色度座標の光を放射する第１の光源と、第２の色度座標の光を放射する第２の光源と、前記の２つの光源の前記光を加法的に混合するための光学部品とを備えたランプシステムにおいて、前記光学部品は、２つの異なった種類の散乱中心を有する光導波路を有することを特徴とするランプシステム。
【請求項２】
請求項１に記載のランプシステムにおいて、前記光導波路は平面構造であることを特徴とするランプシステム。
【請求項３】
請求項１に記載のランプシステムにおいて、前記光源からの前記光は前記光導波路にカップリングすることができることを特徴とするランプシステム。
【請求項４】
請求項１に記載のランプシステムにおいて、前記散乱中心は前記光導波路の表面上に構成されることを特徴とするランプシステム。
【請求項５】
請求項１に記載のランプシステムにおいて、前記散乱中心は前記光導波路の内部に構成されることを特徴とするランプシステム。
【請求項６】
請求項１に記載のランプシステムにおいて、前記散乱中心の密度は変化することを特徴とするランプシステム。
【請求項７】
請求項６に記載のランプシステムにおいて、前記散乱中心の前記密度は前記光源に対する距離が増加すると共に増加することを特徴とするランプシステム。
【請求項８】
請求項１に記載のランプシステムにおいて、前記第１の光源は蛍光ランプを有し、前記第２の光源は発光ダイオードを有することを特徴とするランプシステム。
【請求項９】
請求項８に記載のランプシステムにおいて、前記蛍光ランプは青−緑色の光を放射することを特徴とするランプシステム。
【請求項１０】
請求項８に記載のランプシステムにおいて、前記発光ダイオードは赤色の光を放射することを特徴とするランプシステム。
【発明の詳細な説明】
【技術分野】
【０００１】
本発明は、第１の色度座標の光を放射する第１の光源と、第２の色度座標の光を放射する第２の光源と、前記の２つの光源の前記光を加法的に混合するための光学部品とを備えたランプシステムに関する。
【背景技術】
【０００２】
このようなランプシステムは、ドイツ実用新案公報第２０００７１３２号から知られている。ランプシステムが、全ての光源から少なくとも部分的に間接光を放射することにより、光源の放射の均一な混合が達成される。全ての光源の直接発せられた光は、偏向手段（例えばリフレクタ、ディフューザ又は単に照明器具のハウジングの内壁）に当たり、これにより、放射経路が修正される。
【発明の開示】
【発明が解決しようとする課題】
【０００３】
これに応じて、本発明は、単純な光混合の可能性を提供することを目的とする。
【課題を解決するための手段】
【０００４】
この目的は、請求項１の特徴により達成される。本発明によれば、光学部品は、２つの異なった散乱中心を有する光導波路を有する。第１の散乱中心は、第１の光源からの光を散乱させ、第２の散乱中心は、第２の光源からの光を散乱させる。光は、このような態様で所望のとおりに混合されることができる。
【０００５】
従って、光混合が、平面光導波路へのカップリングイン（coupling-in）によって起こる。このような導波路において、光は、散乱中心（以下では散乱点とも呼ばれる）に衝突するまで、全反射される。散乱中心は、平面光導波路の表面又はその内部にあってよい。
【０００６】
散乱点の密度が変化することにより、均一な輝度分布が達成される。これは、第１の光源（この場合蛍光ランプ）からの増加する距離とともに増加する。ここで、異なった色の２つの光源が、互いから或る距離をおいたところにあると、異なった色の光源の光の、白色の均一な光源への混合は、問題を生じる。即ち、一方の色は確かに散乱点密度の差によって均一にカップルアウトされる（coupled out）が、他方の色は、この散乱点密度によって不均一にカップルアウトされる。２つの異なった散乱中心が導入され、一方の種類の散乱中心が、第１の光源からの光のみを散乱させ、他方の散乱中心が、第２の光源からの光のみを散乱させると、均一な分布が達成されることができ、特に、白色光もカップルアウトされることができる。光源のうちの１つが２つの異なった波長を有する光を放射する場合、第２の種類の散乱中心は、更に２つのサブタイプによって形成されることができ、一方のサブタイプは好みによって緑を、他方のサブタイプは青を、散乱させるようにすることができる。
【０００７】
このような色選択散乱を達成することができる可能な効果は、いわゆるミー散乱である。ミー理論は、粒子サイズが、散乱されるべき波長の値に近似するか又は散乱されるべき光の波長よりも小さいときに、散乱挙動は強く変化すると述べる。この場合、散乱係数は、散乱中心の大きさ及び形状に依存する。
【発明を実施するための最良の形態】
【０００８】
本発明は、ここで、実施例及び図面を参照して以下でより詳細に説明される。
【０００９】
図１は、平面光導波路２と、蛍光ランプとして構成された光源３とを備えたランプシステム１を示す。
【００１０】
図２は、光導波路２と光線４を発する蛍光ランプ３とを備えたランプシステム１を示し、前記光線４は、散乱中心５によって、照光されるべき空間６に伝えられる。散乱中心５（以下では散乱点とも呼ばれる）は、光導波路２の表面７に設けられる。
【００１１】
図３は、光導波路２と第２の光線８を発する蛍光ランプ３とを備えたランプシステム１を示し、前記光線８は、散乱中心９によって、照光されるべき空間６に伝えられる。第２の散乱中心９は、光導波路２の内部１０に構成される。
【００１２】
図４は、光導波路２及び蛍光ランプ３を備えたランプシステム１を示す。光導波路２は、散乱中心５及び９を有し、これらの散乱中心５、９の密度は変化する。散乱中心密度は、蛍光ランプ３に対する距離の増加によって増加する。このような態様で、蛍光ランプ３の青−緑光を均一に分散することが可能である。
【００１３】
図５は、蛍光ランプ３及び第２の光源１１を有する光導波路２を示し、前記第２の光源１１は、４つの赤色発光ダイオード、即ちＬＥＤ  １２〜１５により形成される。光線１６は蛍光ランプ３から生じ、光線１７は光源１１のＬＥＤ  １２〜１５から生じる。散乱点５及び９の不均一な密度分布は、均一な青−緑の光の分布（light distribution）を引き起こすが、不均一な赤の光の分布を引き起こす。赤色は、不均一にカップルアウトされる。
【００１４】
図６は、光導波路２２と、蛍光ランプ２３と、幾つかの赤いＬＥＤ２５〜２８を有する第２の光源２４と、２つの異なった散乱中心２９及び３０とを有するランプシステム２１を示す。散乱中心２９は、蛍光ランプ２３の略青−緑の光線を偏向させる。散乱中心２９の密度は、蛍光ランプ２３に対するこれら散乱中心２９の距離と共に増加する。散乱中心３０は、光源２４の赤色ＬＥＤ２５〜２８からの略赤の光線を偏向させる。散乱中心３０の密度は、光源２４に対するこれら散乱中心３０の距離が増加するとともに増加する。光源２３及び２４は、光導波路２２の２つの互いに対向する側３１及び３２に構成される。散乱中心２９及び３０の密度及び構成は、これに応じて、光導波路２２が白色光を方向３３に放射するように選択される。
【図面の簡単な説明】
【００１５】
【図１】光源を備えた平面光導波路を斜視図で示す。
【図２】光源及び散乱中心を有する光導波路を横方向の断面で示す。
【図３】光源及び第２の散乱中心を有する光導波路を横方向の断面で示す。
【図４】光源及び散乱中心を備えた光導波路を斜視図で示す。
【図５】互いから或る距離をおいて構成された２つの異なった光源と、散乱中心とを備えた光導波路を斜視図で示す。
【図６】２つの光源と、異なった散乱中心とを備えた光導波路を斜視図で示す。
【符号の説明】
【００１６】
１…ランプシステム
２…平面光導波路
３…蛍光ランプ
４…光線
５…散乱中心
６…空間
７…表面
８…光線
９…散乱中心
１０…内部
１１…光源
１２…ＬＥＤ
１３…ＬＥＤ
１４…ＬＥＤ
１５…ＬＥＤ
１６…光線
１７…光線
１８
１９
２０
２１…ランプシステム
２２…光導波路
２３…蛍光ランプ
２４…第２の光源
２５…赤色ＬＥＤ
２６…赤色ＬＥＤ
２７…赤色ＬＥＤ
２８…赤色ＬＥＤ
２９…散乱中心
３０…散乱中心
３１…側面
３２…側面
３３…方向
【図１】
2007505461.tif 000003
【図２】
2007505461.tif 000004
【図３】
2007505461.tif 000005
【図４】
2007505461.tif 000006
【図５】
2007505461.tif 000007
【図６】
2007505461.tif 000008
【国際調査報告】
2007505461.tif 000009
2007505461.tif 000010